(57)【要約】【課題】部品数を削減することで、ポンプの組立工数を減じると共にポンプのコスト低減を図る。【解決手段】  ポンプ部１５のケーシングと前記ポンプ部１５を回転させるモータ部２０とが一体になったポンプ３０において、前記ケーシングと前記モータ部２０の負荷側ブラケット２ａとが一体に形成され、前記モータ部２０の反負荷側ブラケット２３が前記ケーシングの負荷側ブラケット２ａに固定されている。前記ケーシングは、第１ケーシング１と第２ケーシング２とから構成され、前記第１ケーシング１は、吸水口１１、吐出口１２、吸水路１６、送水路１７を備え、前記第２ケーシング２は、前記第１ケーシング１との間を仕切る仕切板３を介して前記モータ部２０の回転軸２６に装着された羽根車７を収納する渦室１０を備え、また、前記第２ケーシング２は、前記仕切板３の反対側から前記負荷側ブラケット２ａが筒状に突出している。【選択図】図１
2007327405.tif 000002
【特許請求の範囲】
【請求項１】
ポンプ部のケーシングと前記ポンプ部を回転させるモータ部とが一体になったポンプにおいて、
前記ケーシングと前記モータ部の負荷側ブラケットとが一体に形成され、
前記モータ部の反負荷側ブラケットが前記ケーシングの負荷側ブラケットに固定されている
ことを特徴とするポンプ。
【請求項２】
前記ケーシングは、第１ケーシングと第２ケーシングとから構成され、
前記第１ケーシングは、吸水口、吐出口、吸水路、送水路を備え、
前記第２ケーシングは、前記第１ケーシングとの間を仕切る仕切板を介して前記モータ部の回転軸に装着された羽根車を収納する渦室を備え、また、前記第２ケーシングは、前記仕切板の反対側から前記負荷側ブラケットが筒状に突出している
ことを特徴とする請求項１記載のポンプ。
【発明の詳細な説明】
【技術分野】
【０００１】
本発明は、給湯暖房機器等に組み込まれて使用され湯水などを給水するポンプに関するものであり、より詳しくは、ポンプを形成するモータブラケットとポンプ部ケーシングの構成に関する。
【背景技術】
【０００２】
例えば、自吸式ポンプには、モータの回転軸に直接羽根車を装着し、羽根車を回転させ吸水運転を行うタイプがある（例えば、特許文献１）。
【０００３】
この自吸式ポンプの従来例を図２のポンプ１００の部分側断面図を用いて説明する。
【０００４】
ポンプ１００は、モータ部１２０と、モータ１２０に接続されたポンプ部１１５を形成する合成樹脂製の第１ケーシング１０１と第２ケーシング１０２とで構成されている。
【０００５】
モータ部１２０は、誘導電動機やブラシレス直流モータ等のモータ１２１を内部に収容し、固定する反負荷側ブラケットであるブラケット１２３とからなり、回転軸１２６の先端に装着された羽根車１０７をポンプ部１１５に配している。
【０００６】
ブラケット１２３は、合成樹脂やステンレス鋼板等を略カップ状に成形した反負荷側ブラケット１２４と負荷側ブラケット１２５とからなり、反負荷側ブラケット１２４と負荷側ブラケット１２５が接続されて内部にモータ１２１を収容するとともに、負荷側ブラケット１２５がメカニカルシール１２７とボールベアリング１２８を設けた回転軸１２６を挿通し、ステンレス鋼板やアルミ合金板でなるベース板１２９を介して第２ケーシング１０２にネジ止めされている。これによりモータ部１２０とポンプ部１１５とが一体化されポンプ１００を形成している。
【０００７】
また、第１ケーシング１０１には、吸水口１１１、吐出口１１２、吸水路１１６及び送水路１１７が形成されている。第２ケーシング１０２には、羽根車１０７を収容する渦室１１０が形成されている。
【０００８】
そして、仕切板１０３が第１ケーシング１０１と第２ケーシング１０２とを仕切るように配されて、第１ケーシング１０１と第２ケーシング１０２とを一体にし、ポンプ部１１５を吸水路１１６、送水路１１７及び渦室１１０に区分している。この仕切板１０３には、中央部近傍に渦室１１０への液体流入用の吸入孔（図示せず）が設けられており、端部近傍には送水路１１７に通じる送水孔（図示せず）が設けられている。
【０００９】
上記構成によるポンプ１００は、モータ１２１の回転により羽根車１０７が回転して渦室１１０に吸水作用が発生し、吸水口１１１から吸水した液体を吐出口１１２から吐出するものである。
【特許文献１】特開２００５−１８０３６３号公報
【発明の開示】
【発明が解決しようとする課題】
【００１０】
上記のようなポンプ１００は、モータ部とポンプ部とがベース板を介して接続されている。また、モータ部のブラケットが２分割されている。このため、部品数と組立工数が多くなりポンプのコストが高くなっているという問題がある。
【００１１】
そこで本発明は、ポンプの部品数を削減することで、ポンプの組立工数を減じると共にポンプのコスト低減を図るものである。
【課題を解決するための手段】
【００１２】
すなわち、請求項１に記載の発明は、ポンプ部のケーシングと前記ポンプ部を回転させるモータ部とが一体になったポンプにおいて、前記ケーシングと前記モータ部の負荷側ブラケットとが一体に形成され、前記モータ部の反負荷側ブラケットが前記ケーシングの負荷側ブラケットに固定されていることを特徴とするポンプである。
【００１３】
請求項２に記載の発明は、前記ケーシングは、第１ケーシングと第２ケーシングとから構成され、前記第１ケーシングは、吸水口、吐出口、吸水路、送水路を備え、前記第２ケーシングは、前記第１ケーシングとの間を仕切る仕切板を介して前記モータ部の回転軸に装着された羽根車を収納する渦室を備え、また、前記第２ケーシングは、前記仕切板の反対側から前記負荷側ブラケットが筒状に突出していることを特徴とする請求項１記載のポンプである。
【発明の効果】
【００１４】
本発明のポンプによれば、従来構造のポンプより、少なくともベース板とモータ部ブラケットの１つが省略できるので、部品数の削減と共に組立工数を減じ、ポンプのコストを低減することができる。また、ポンプ内部の構造は従来通りであるので、ポンプの吸水特性に影響を与えることがない。
【発明を実施するための最良の形態】
【００１５】
以下、本発明の実施形態ついて、図面に基づいて説明する。
【００１６】
図１は、実施形態のポンプ３０の部分側断面図である。
【００１７】
ポンプ３０は、従来のポンプと同様に、モータ部２０と、モータ部２０に接続されたポンプ部１５を形成する合成樹脂製の第１ケーシング１と第２ケーシング２とで構成されている。
【００１８】
モータ部２０は、誘導電動機やブラシレス直流モータ等のモータ２１と、モータ２１を内部に収容し固定する反負荷側のブラケット２３とからなり、モータ２１の回転軸２６の先端に装着された羽根車７をポンプ部１５の渦室１０内に配している。
【００１９】
反負荷側ブラケット２３は、合成樹脂やステンレス鋼板等を略カップ状に成形され反負荷側のモータ部分を後方から覆っている。
【００２０】
第２ケーシング２の負荷側には、第２ケーシング２のポンプ部１５との隔壁部分２ｂからモータ部２０側に突出する筒状突出部２ａを有し、この突出部２ａ端部とブラケット２３の開口部２３ａとが合致してネジ３１によってネジ止めされている。この接続されブラケット２３と突出部２ａとの空間部からなるブラケット内にモータ２１が収容され、固定されている。
【００２１】
モータ２１の回転軸２６に装着された羽根車７が、第２ケーシング２のポンプ部１５中心部にメカニカルシール２７とボールベアリング２８を設けた回転軸２６を挿通してポンプ部１５の渦室１０内に収容されている。
【００２２】
また、第１ケーシング１には、吸水口１１、吐出口１２、吸水路１６及び送水路１７が形成され、仕切板３が第１ケーシング１と第２ケーシング２とを仕切るようにパッキンと共に配されて、第１ケーシング１、第２ケーシング２を一体化し、ポンプ部１５を吸水路１６、送水路１７、及び渦室１０に区分している。この仕切板３には、中央部近傍に吸水路１６から渦室１０への液体流入用の吸入孔（図示せず）が設けられており、端部近傍には送水路１７に通じる送水孔（図示せず）が設けられている。
【００２３】
これにより、モータ部２０とポンプ部１５とが一体化されポンプ３０を形成している。
【００２４】
ポンプ３０は、モータ２１の回転により第２ケーシング２の隔壁２ｂを介して配された羽根車７が回転して渦室１０に吸水作用が発生し、吸水口１１から吸水した液体を吐出口１２から吐出するものである。
【００２５】
このポンプ３０では、従来ポンプ１００の負荷側ブラケット１２５と第２ケーシング１０２の間に配されていたベース板１２９が不要になり、モータを収容するブラケットが２つの分割ブラケット１２４、１２５から１つのブラケット２３になり部品数が減少する。
【００２６】
従って、本発明のポンプ３０は、部品数の削減と共に組立工数を減じ、ポンプのコストを低減することができる。
【００２７】
また、ポンプ内部の設計変更や外形形状の変更を伴うことがないので、ポンプの吸水特性に影響を与えることがなく、従来通りの形状を保ち使用機器に搭載することができる。
【産業上の利用可能性】
【００２８】
本発明のポンプは、風呂、台所、暖房設備などの循環式給湯機のポンプとして好適である。
【図面の簡単な説明】
【００２９】
【図１】実施形態のポンプの側断面図である。
【図２】従来例のポンプの側断面図である。
【符号の説明】
【００３０】
１……第１ケーシング
２……第２ケーシング
２ａ……負荷側ブラケット（突出部）
３……仕切板
７……羽根車
１０……うず室
１１……吸水口
１２……吐出口
１５……ポンプ部
１６……吸水路
１７……送水路
２０……モータ部
２３……反負荷側ブラケット
２６……回転軸
３０……ポンプ
【図１】
2007327405.tif 000003
【図２】
2007327405.tif 000004